(57)【特許請求の範囲】
【請求項１】
電線に電気的に接続された端子が収容され、前記電線が一端から引き出されるメスコネクタと、
前記メスコネクタの一端に装着されるコネクタカバーと、
を備え、
前記メスコネクタには、該メスコネクタの一端に係止突起が形成され、
前記コネクタカバーが、
上壁及び底壁と、前記上壁と前記底壁とを繋ぐ側壁と、を有し、前記上壁及び底壁の前記メスコネクタ側に位置する一部が前記メスコネクタの一端を挟む嵌合部として形成され、
前記嵌合部は、前記上壁及び底壁の幅方向両端部にて上下方向内側に突出する両側板部と、前記両側板部の前記メスコネクタ側と反対側の端部同士を繋ぐように幅方向に延びて上下方向内側に突出する横板部と、を備え、前記メスコネクタに対向する側は開放されており、前記係止突起に対応する位置に前記係止突起に係合する係止孔を有し、
前記嵌合部が、前記両側板部と前記横板部とで囲まれる空間に前記メスコネクタの一端を嵌合して挟むことで、前記コネクタカバーが前記メスコネクタの一端に装着され、
前記コネクタカバーは、前記メスコネクタに装着されたとき、前記横板部と前記側壁との間において前記メスコネクタ、前記上壁、前記底壁及び前記側壁によって囲まれる中空空間を画成し、前記中空空間に前記電線が挿通され、
前記コネクタカバーは、
前記中空空間の両開口端に対応する前記上壁の幅方向両端及び前記底壁の幅方向両端のうちのいずれか一つの端に、前記電線を受け入れ可能な切欠部を有する、
ことを特徴とするコネクタユニット。
【請求項２】
前記切欠部は、前記上壁の前記幅方向両端のうちの前記中空空間の一方の開口端に対応する１箇所と、前記底壁の前記幅方向両端のうちの前記中空空間の他方の開口端に対応する１箇所と、に形成されていることを特徴とする請求項１記載のコネクタユニット。
【請求項３】
前記切欠部は、前記上壁の前記幅方向両端及び前記底壁の前記幅方向両端の計４箇所に形成されていることを特徴とする請求項１記載のコネクタユニット。
【発明の詳細な説明】
【技術分野】
【０００１】
本発明は、車両において電線を配索するために用いられるコネクタユニットに関する。
【背景技術】
【０００２】
車両には、電子機器にバッテリからの電力や制御装置からの制御信号を伝えるための電線が配索される。これら電線を配索する際には、電線が配索される配索経路を規制するとともに電線の損傷を防ぐために電線を保護する必要がある。出願人は、この目的のためにコネクタユニットについて開発を進めておりその中で特許文献１、２の記載の発明について出願をしてきた。図５〜図１０は、従来のコネクタユニットおよびそのコネクタユニットを使用して電線を配索する様子を示している。
【０００３】
図５及び図６に示すように、コネクタユニット３０は、オスコネクタ（図示せず）に組みつけられるメスコネクタ２０と、このメスコネクタ２０に組みつけられたコネクタカバー１０とを備えている。詳細は図８及び図９を参照して後述するが、コネクタカバー１０は、上壁１３および底壁１４と、メスコネクタ２０との係止機構であるロック部分（係合片５０及び係止孔１５）を有し、例えば図示しないミッションケース等のベース内に収容される。
【０００４】
さらに、コネクタカバー１０について説明する。図８及び図９は、従来のコネクタユニットのメスコネクタ２０およびコネクタカバー１０の構成の詳細を示している。図８及び図９に示すように、コネクタカバー１０は、上壁１３および底壁１４に挟まれる空間が電線８０が挿通される電線挿通口１７として機能する。この電線挿通口１７には、コネクタカバー１０の幅方向（図９中の奥−手前方向）に沿って電線８０が挿通される。そして、電線８０の一部の電線は、そのコネクタカバー１０が組み付けられたメスコネクタ２０に向かいその一部の電線の先端に設けられた端子が当該メスコネクタ２０の端子収容室に収容される。他方、当該メスコネクタ２０に向かわない電線８０の他の電線は、電線挿通口１７を貫通し、隣り合うコネクタユニット３０に向かう。こうして電線が組み付けられた複数のメスコネクタ２０が個別にオスコネクタに嵌合される。このように、コネクタユニット３０を用いることにより、隣り合うコネクタカバー１０の電線挿通口１７が並ぶ方向に沿って電線８０が配索される経路が形成される。こうして、コネクタカバー１０により電線を集約して配索できる。また、コネクタカバー１０をメスコネクタ２０に取り付ける方向と、メスコネクタ２０をオスコネクタに嵌合する方向とが同一の方向であるため、メスコネクタ２０をオスコネクタに嵌合する作業の際に、誤ってコネクタカバー１０がメスコネクタ２０から外れるなどして、その嵌合作業の効率を低下させることも防ぐことができる。
【０００５】
また、図５及び図６に示す配索形態によれば、コネクタカバー１０により配索経路を規制できるので、結束バンドなどによる電線の結束を省略することができる。さらに、電線８０がコネクタカバー１０を経由して引き出されるため、電線８０に引張り力が作用した場合であっても、その引張り力がコネクタカバー１０にまず作用し、メスコネクタ２０の端子収容室に収容された端子に力が作用しにくいという利点がある。
【０００６】
図８に戻る。メスコネクタ２０には、コネクタカバー１０側に位置する先端に係止突起２４が形成されている。詳細には、メスコネクタ２０は、全体として箱状であり、コネクタカバー１０側に位置する４隅に係止突起２４が形成されている。他方、コネクタカバー１０のメスコネクタ２０側に位置する先端には係合片５０が突出形成されている。詳細には、コネクタカバー１０は、上壁１３及び底壁１４がメスコネクタ２０のコネクタカバー１０側に位置する先端が収容できる程度に離間しており、係合片５０は、上壁１３及び底壁１４に収容されたメスコネクタ２０の先端に位置する係止突起２４に対向する位置にある。係合片５０には、係止孔１５が形成され、この係止孔１５と係止突起２４との係合によりコネクタカバー１０はメスコネクタ２０にロックされている。
【０００７】
また、上記コネクタユニットとは別の従来技術として、コネクタのハウジングが変位した場合、整列された電線との干渉を回避する方向に退避した形状、すなわちハウジング内に第１傾斜面と第２傾斜面を設け、かつ両側縁に電線との干渉を退避する逃がし部を設けたコネクタも開示されている（特許文献３）。
【先行技術文献】
【特許文献】
【０００８】
【特許文献１】特開２０１５−１０３３１２号公報
【特許文献２】特開２０１５−１０３３１４号公報
【特許文献３】特開２０１５−３５３９１号公報
【発明の概要】
【発明が解決しようとする課題】
【０００９】
図５、図６、図８及び図９に示す従来のコネクタユニットでは、コネクタカバー１０が取り付けられたメスコネクタ２０をオスコネクタに嵌合して組付け作業を行う際、図７に示すように、コネクタカバー１０がロール方向（コネクタカバー１０をメスコネクタ２０に取り付ける方向を軸にした回転方向）に傾き、メスコネクタ２０に対してコネクタカバー１０が捻じれ変位することがある。これは、複数のオスコネクタ各々がメスコネクタ２０が嵌合される方向を軸にして所定角度回転した状態で実装されており、このようなオスコネクタにメスコネクタ２０を嵌合する場合に起き得る。この捻じれ変位について以下詳細に説明する。
【００１０】
図７は、所定角度回転した状態で実装されたオスコネクタに対してコネクタカバー１０及びメスコネクタ２０を組み付けた状態を示している。図７の例では、コネクタカバー１０及びメスコネクタ２０が垂直方向Ｈ（言い換えれば図７中の上下方向）に対し角度αだけ傾斜して組み付けられている状態を示している。このようにコネクタカバー１０及びメスコネクタ２０が垂直方向Ｈに対し角度α回転していると、そのコネクタカバー１０の電線挿通口１７による電線８０の配索経路もまた角度α回転することになり、この結果、電線挿通口１７によって規制された電線８０には、図７に示すように波状の屈曲を繰り返す波打ち形状になる。
【００１１】
このとき、電線８０に作用を及ぼして電線８０の経路を規制しているコネクタカバー１０には、当然ながら電線８０から反作用を受けている。この結果、コネクタカバー１０は、オスコネクタに嵌合されそのオスコネクタに固定されたメスコネクタ２０に対して、捻じれ変位するようになる。これは、電線挿通口１７に挿通された電線８０の本数が増えれば増えるほど、コネクタカバー１０のメスコネクタ２０に対する捻じれ変位は大きくなる。蛇足ながら、コネクタカバー１０の捻じれ変位を受けてメスコネクタ２０もまた、捻じれ変位することを付言する。
【００１２】
上述のように、電線８０からの作用を受けてコネクタカバー１０がメスコネクタ２０に対して捻じれ変位すると、メスコネクタ２０の４隅に位置する係止突起２４及びコネクタカバー１０の４隅に位置する係止孔１５のいずれか１つまたは複数の係り代に応力が集中する。この結果、係止突起２４や係止孔１５に過度な応力が作用して負担をかけてしまう、または破損してしまうことがあった。
【００１３】
具体的には、図８から図１０の、波打ち形状の電線８０が挿通されたコネクタカバー１０を示す図のように、回転したコネクタカバー１０の電線挿通口１７の内縁が電線８０に接触している力点Ｒにおいて、コネクタカバー１０は、電線８０から応力を受けるが、このとき、力点Ｒに最も近いところに位置する係止突起２４及び係止孔１５（図１０におけるコネクタカバー１０の右上に位置する係止突起２４及び係止孔１５）には、その係り代に過度な応力が作用してしまう。さらには、コネクタカバー１０全体が捻じれ変位することによって、力点Ｒから最も離れたところに位置する係止突起２４及び係止孔１５（図１０におけるコネクタカバー１０の左下に位置する係止突起２４及び係止孔１５。）の係り代にも過度な応力が作用してしまう。
【００１４】
尚、特許文献３に記載されているコネクタは、ハウジングとカバー部は一体化した構成か、または特許文献３の図３に示されているように突出部どうしの嵌合により一体構造としている。そのため、ハウジングとカバー部の嵌合部分は堅牢であり、カバー部に電線からの応力が加わったとしてもそれによりハウジング及びカバー部の破損に至るものではいことを付言する。
【００１５】
本発明は、上述した事情に鑑みてなされたものであり、その目的は、電線からコネクタカバーへの応力によって、メスコネクタとコネクタカバーの係合部分の破損を防止することができるコネクタユニットを提供することにある。
【課題を解決するための手段】
【００１６】
前述した目的を達成するために、本発明に係るコネクタユニットは、下記（１）から（３）を特徴としている。
（１）  電線に電気的に接続された端子が収容され、前記電線が一端から引き出されるメスコネクタと、
前記メスコネクタの一端に装着されるコネクタカバーと、
を備え、
前記メスコネクタには、該メスコネクタの一端に係止突起が形成され、
前記コネクタカバーが、
上壁及び底壁と、前記上壁と前記底壁とを繋ぐ側壁と、を有し、前記上壁及び底壁の前記メスコネクタ側に位置する一部が前記メスコネクタの一端を挟む嵌合部として形成され、
前記嵌合部は、前記上壁及び底壁の幅方向両端部にて上下方向内側に突出する両側板部と、前記両側板部の前記メスコネクタ側と反対側の端部同士を繋ぐように幅方向に延びて上下方向内側に突出する横板部と、を備え、前記メスコネクタに対向する側は開放されており、前記係止突起に対応する位置に前記係止突起に係合する係止孔を有し、
前記嵌合部が、前記両側板部と前記横板部とで囲まれる空間に前記メスコネクタの一端を嵌合して挟むことで、前記コネクタカバーが前記メスコネクタの一端に装着され、
前記コネクタカバーは、前記メスコネクタに装着されたとき、前記横板部と前記側壁との間において前記メスコネクタ、前記上壁、前記底壁及び前記側壁によって囲まれる中空空間を画成し、前記中空空間に前記電線が挿通され、
前記コネクタカバーは、
前記中空空間の両開口端に対応する前記上壁の幅方向両端及び前記底壁の幅方向両端のうちのいずれか一つの端に、前記電線を受け入れ可能な切欠部を有する、
こと。
（２）  上記（１）の構成のコネクタユニットにおいて、
前記切欠部は、前記上壁の前記幅方向両端のうちの前記中空空間の一方の開口端に対応する１箇所と、前記底壁の前記幅方向両端のうちの前記中空空間の他方の開口端に対応する１箇所と、に形成されていること。
（３）  上記（１）の構成のコネクタユニットにおいて、
前記切欠部は、前記上壁の前記幅方向両端及び前記底壁の前記幅方向両端の計４箇所に形成されていること。
【００１７】
上記（１）から（３）の構成のコネクタユニットによれば、電線が切欠部に入り込み、コネクタカバーの上壁または底壁の内縁に電線が干渉することが抑制され、仮に干渉したとしても上壁または底壁の内縁の電線に対する干渉は浅くて済む。このため、電線からコネクタカバーが受ける応力が軽減される。この結果、係止突起と係止孔との係り代に集中する応力が軽減され、係止孔や係止突起の破損を防止することができる。
【発明の効果】
【００１８】
本発明によれば、電線からコネクタカバーが受ける応力が軽減される。この結果、係止突起と係止孔との係り代に集中する応力が軽減され、係止孔や係止突起の破損を防止することができる。
【００１９】
以上、本発明について簡潔に説明した。さらに、以下に説明される発明を実施するための形態（以下、実施形態という。）を添付の図面を参照して通読することにより、本発明の詳細は更に明確化されるであろう。
【図面の簡単な説明】
【００２０】
【図１】図１は、本発明の実施形態に係るコネクタユニットの分解斜視図である。
【図２】図２は、本発明の実施形態に係るコネクタユニットの使用状態を示す平面図である。
【図３】図３は、本発明の実施形態に係るコネクタユニットがロール方向に回転した場合のコネクタカバー部分の断面図である。
【図４】図４は、実施形態に係るコネクタユニットの電線配索状態の斜視図である。
【図５】図５は、従来のコネクタユニットの使用状態を示す平面図である。
【図６】図６は、図５のＶＩ方向の側面図である。
【図７】図７は、従来のコネクタユニットがロール方向に回転した場合のコネクタカバーの断面図である。
【図８】図８は、従来のコネクタユニットの斜視図である。
【図９】図９は、図８の側面図である。
【図１０】図１０は、図８の断面図である。
【発明を実施するための形態】
【００２１】
以下、本発明の一実施形態を、図１〜図４を参照して説明する。
【００２２】
図１は、本発明の実施形態に係るコネクタユニットの分解斜視図、図２は、本発明の実施形態に係るコネクタユニットの使用状態を示す平面図、図３は、本発明の実施形態に係るコネクタユニットがロール方向に回転した場合のコネクタカバーの断面図、図４は、実施形態に係るコネクタユニットの電線配索状態の斜視図である。以下、図１から図４を参照して説明する本発明の実施形態に係るコネクタユニットにおいて、図５から図１０を参照して説明した従来のコネクタユニットと同等の部材については同一の符号を付与することとする。
【００２３】
図１および図２に示すように、コネクタユニット３０は、オスコネクタ４０に取り付けられるメスコネクタ２０と、メスコネクタ２０に嵌合されるコネクタカバー１０とを備えている。これらの部材は、いずれも合成樹脂により形成されている。
【００２４】
メスコネクタ２０は、内部に端子収容室２２が複数形成された箱状のハウジング２１を備え、各端子収容室２２には一つの端子３５が収容されている。メスコネクタ２０は、全体として箱状であり、オスコネクタ４０の係止部４１に係止する係止凸部２３をハウジング２１の天面に有している。メスコネクタ２０及びオスコネクタ４０が嵌合したとき、係止凸部２３及び係止部４１が係合することによりロックされる。オスコネクタ４０の内部には端子３５と電気的に接続するオス端子（図示せず）が複数収容されており、メスコネクタ２０とオスコネクタ４０とが嵌合すると、これら両端子が電気的に接続される。端子３５から延びる電線８０は、ハウジング２１のコネクタカバー１０側に位置する一端側から引き出される。
【００２５】
メスコネクタ２０は、コネクタカバー１０側に位置する先端に係止突起２４が形成されている。詳細には、箱状のハウジング２１において、コネクタカバー１０側に位置する４隅に、コネクタカバー１０の係止孔１５に係止する係止突起２４がハウジング外面から隆起するように形成されている。係止突起２４は、４隅それぞれに同一形状で形成されている。ハウジング２１における係止突起２４が設けられた先端側は、垂直方向（図１中の上下方向）において対称な形状となっている。同じく、コネクタカバー１０も垂直方向に対称な形状となっているため、ハウジング２１にコネクタカバー１０を組み付ける作業の際には、コネクタカバー１０の上下を気にする必要が無い。
【００２６】
コネクタカバー１０は、図１に示すように、上壁１３と、底壁１４と、上壁１３及び底壁１４を連結する側壁１６と、を有し、上壁１３と底壁１４によって挟まれる空間のうちの、メスコネクタ２０側に位置する一部が、嵌合部１１として形成されている。この嵌合部１１には、メスコネクタ２０にコネクタカバー１０を組み付けたとき、係止突起２４を含むハウジング２１の先端側に位置する一部が収容される。嵌合部１１は、コネクタカバー１０の幅方向に延びるよう上壁１３と底壁１４に立設された壁面である横板部１１ｃと、横板部１１ｃの両端部においてハウジング２１の先端の幅寸法とほぼ同一の内幅寸法を有するように離間して設けられた壁面である両側板部１１ａ、１１ｂとを有し、メスコネクタ２０に対向する側は開放されている。さらに、両側板部１１ａ、１１ｂは、上壁１３または底壁１４との間で形成される隅角部が穿たれており、上述の係止突起２４に係止される係止孔１５が形成されている。さらに、横板部１１ｃと側壁１６との間も区画されて空間が形成されている。この空間が電線挿通口１７として機能する。電線挿通口１７は、コネクタカバー１０の幅方向両側が開口しており、電線８０によって挿通され、その電線８０を収容する。
【００２７】
特に、図１に示すように、上壁１３、底壁１４の幅方向の両側には、電線との干渉を避けるための切欠部６０が形成されている。これにより、上壁１３、底壁１４は、電線挿通口１７における幅寸法が、嵌合部１１における幅寸法（すなわち両側板部１１ａ、１１ｂの外寸幅）よりも小さくなっている。
【００２８】
以上、コネクタユニット３０を構成するコネクタカバー１０及びメスコネクタ２０の構造について詳細に説明した。これらのコネクタカバー１０及びメスコネクタ２０を組み付けるにあたっては、まず、電線８０に設けられた複数の端子３５それぞれを所定のメスコネクタ２０における所定の端子収容室２２に挿し込む。その後、必要な端子３５を全て挿入したメスコネクタ２０に対してコネクタカバー１０を組み付ける。このとき、ハウジング２１のコネクタカバー１０側に位置する先端にコネクタカバー１０の嵌合部１１を装着する際に、コネクタカバー１０の係止孔１５とメスコネクタ２０の係止突起２４が係合し、コネクタカバー１０がメスコネクタ２０にロックされる。コネクタカバー１０の組み付けをその組み付けが必要な全てのメスコネクタに対して実施し、一連の組み付けが完了となる。
【００２９】
こうして図２に示すように、コネクタカバー１０がメスコネクタ２０に組み付けられたコネクタユニット３０が出来上がる。このコネクタユニット３０は、ベース（図示せず）等に固定されたオスコネクタにメスコネクタ２０が嵌合される。このような本発明の実施形態のコネクタユニット３０によれば、コネクタカバー１０により電線を集約して配索できる。また、コネクタカバー１０をメスコネクタ２０に取り付ける方向と、メスコネクタ２０をオスコネクタに嵌合する方向とが同一の方向であるため、メスコネクタ２０をオスコネクタに嵌合する作業の際に、誤ってコネクタカバー１０がメスコネクタ２０から外れるなどして、その嵌合作業の効率を低下させることも防ぐことができる。
【００３０】
ところで、電線８０からの作用を受けてコネクタカバー１０がメスコネクタ２０に対して捻じれ変位すると、メスコネクタ２０の４隅に位置する係止突起２４及びコネクタカバー１０の４隅に位置する係止孔１５のいずれか１つまたは複数（例えば対角に位置する２つ）の係り代に応力が集中し、この結果、係止突起２４や係止孔１５に過度な応力が作用して負担をかけてしまうことは［発明が解決しようとする課題］にて述べたとおりである。
【００３１】
本発明によれば、コネクタカバー１０に切欠部６０が形成されているため、上述の課題を解決することができる。すなわち、図３に示すようにコネクタカバー１０及びメスコネクタ２０が垂直方向Ｈに対し角度α回転している場合、電線８０が切欠部６０に入り込み、コネクタカバー１０の上壁１３または底壁１４の内縁に電線８０が干渉することが抑制され、仮に干渉したとしても上壁１３または底壁１４の内縁の電線８０に対する干渉は浅くて済む。これにより電線８０に波打ちが生ずることがなくなる、或いは波打ちの揺れ幅（振幅）が小さくなり、配索される電線８０の平坦化を実現できる。
【００３２】
他方、図７に示すように、切欠部６０が無いコネクタカバー１０が垂直方向Ｈに対し角度α回転している場合、上壁１３及び底壁１４における電線８０が収容される部分の幅方向の寸法が本発明のコネクタカバー１０における同寸法よりも大きい分、上壁１３または底壁１４の内縁が電線８０に対して深く干渉することになる。本発明と比較した場合、従来のコネクタカバーが電線８０に波打ちが生じ易いことは明らかである。
【００３３】
このように本発明のコネクタユニット３０によれば、電線８０が切欠部６０に入り込み、コネクタカバー１０の上壁１３または底壁１４の内縁に電線８０が干渉することが抑制され、仮に干渉したとしても上壁１３または底壁１４の内縁の電線８０に対する干渉は浅くて済む。このため、電線８０からコネクタカバー１０が受ける応力が軽減される。この結果、係止突起２４と係止孔１５との係り代に集中する応力が軽減され、係止孔１５や係止突起２４の破損を防止することができる。
【００３４】
本発明の効果を説明するに当たり、コネクタカバー１０の上壁１３または底壁１４の内縁に電線８０が干渉することが抑制される観点から述べたが、次のように説明することもできる。すなわち、本発明のコネクタカバー１０は、切欠部６０が設けられたことにより、上壁１３及び底壁１４における電線８０が収容される部分の幅方向の寸法が従来のコネクタカバー１０における同寸法よりも小さい分、コネクタカバー１０の捻じれに対する剛性が小さい。つまり、本発明のコネクタカバー１０のほうが捻じれ易い。捻じれに対する剛性が大きいほどその捻じれ変位によって係止突起２４と係止孔１５との係り代に伝達される応力が大きくなることを考えれば、本発明のように捻じれに対する剛性が小さいコネクタカバー１０は、係止突起２４と係止孔１５との係り代に伝達される応力が小さくて済む。このため、係止孔１５や係止突起２４の破損を防止することができる。
【００３５】
尚、切欠部６０の深さが大きい程、言い換えれば、上壁１３及び底壁１４における電線８０が収容される部分の幅方向の寸法が小さい程、係止突起２４と係止孔１５との係り代に集中する応力が軽減されるが、他方で、電線８０を保護する保護部材としての観点からみるとコネクタカバー１０にある程度の強度を持たせることも重要である。このため、コネクタカバー１０に求められる強度に支障がない程度の深さに切欠部６０を形成することが好ましい。
【００３６】
なお、本発明の技術的範囲は、上述した実施形態に限定されるものではない。上述した実施形態は、本発明の技術的範囲内で種々の変形や改良等を伴うことができる。
【００３７】
例えば、本発明の実施形態では、切欠部６０は、上壁１３、底壁１４それぞれの両側に計４箇所形成されている。この構成では、コネクタカバー１０がメスコネクタ２０に対して上下反転させて組み付けられても、コネクタカバー１０の上壁１３または底壁１４の内縁に電線８０が干渉することが抑制されるという利点がある。しかし、今回設けた４箇所のうちの少なくとも１箇所、例えば図３のＰの部分の１箇所に切欠部が形成されていれば、この部分で電線８０からの干渉は軽減されるので、ロック部分への応力軽減の効果は得られる。
【００３８】
さらに言えば、Ｐの部分の１箇所に切欠部を設けるだけでなく、図３のＰの対角線上のＱの部分にも切欠部を形成しておけば、最も電線８０からの干渉が発生しやすい部分で干渉が吸収されるのでより好ましい。
【００３９】
ここで、上述した本発明に係るコネクタユニットの実施形態の特徴をそれぞれ以下（１）〜（３）に簡潔に纏めて列記する。
（１）  電線（８０）に電気的に接続された端子（３５）が収容され、前記電線が一端から引き出されるメスコネクタ（２０）と、
前記メスコネクタの一端に装着されるコネクタカバー（１０）と、
を備え、
前記メスコネクタには、該メスコネクタの一端に係止突起（２４）が形成され、
前記コネクタカバーが、前記メスコネクタの一端を挟む上壁（１３）及び底壁（１４）を有し、前記メスコネクタ、前記上壁及び前記底壁で囲まれる空間（電線挿通口１７）に前記電線が挿通され、前記上壁及び前記底壁には前記係止突起に対向する位置に該係止突起に係合する係止孔（１５）が形成された、
コネクタユニット（３０）であって、
前記電線が挿通される方向に位置する前記上壁の両端及び前記底壁の両端のうちのいずれか一つの端には、前記電線に対向する位置において切欠部（６０）が形成されている、
ことを特徴とするコネクタユニット。
（２）  前記切欠部は、前記上壁の両端のうちの１箇所（Ｐ）と、前記底壁の両端のうちの、前記上壁の１箇所とは対角線上に位置する１箇所（Ｑ）と、に形成されていることを特徴とする上記（１）記載のコネクタユニット。
（３）  前記切欠部は、前記上壁の両端及び前記底壁の両端の計４箇所に形成されていることを特徴とする上記（１）記載のコネクタユニット。
【符号の説明】
【００４０】
１０：コネクタカバー
１１：嵌合部
１３：上壁
１４：底壁
１５：係止孔
１６：側壁
１７：電線挿通口
２０：メスコネクタ
２４：係止突起
３０：コネクタユニット
６０：切欠部
８０：電線
【図１】
0006374895.tif 000002
【図２】
0006374895.tif 000003
【図３】
0006374895.tif 000004
【図４】
0006374895.tif 000005
【図５】
0006374895.tif 000006
【図６】
0006374895.tif 000007
【図７】
0006374895.tif 000008
【図８】
0006374895.tif 000009
【図９】
0006374895.tif 000010
【図１０】
0006374895.tif 000011